(57)【要約】【課題】フレキシブル回路基板の曲げ応力による表示パネルの浮きを防止して、表示品位の向上を図った表示装置及び電子機器を提供する。【解決手段】表示パネルと、当該表示パネルに対して電気的に接続されたフレキシブル回路基板と、表示パネルを収容する筐体と、を備えた表示装置であって、表示パネルは、両面テープを介して筐体に固定され、フレキシブル回路基板は、表示パネルの背面側に曲げられて固定され、フレキシブル回路基板における、表示パネルとの接続位置から導出した領域と曲げられた領域との間の領域に、当該フレキシブル回路基板の曲げの外側の面と対向して配置され、当該フレキシブル回路基板の曲げ形状を保持する形状保持部材を備える。【選択図】図１
2007256586.tif 000002
【特許請求の範囲】
【請求項１】
表示パネルと、当該表示パネルに対して電気的に接続されたフレキシブル回路基板と、
前記表示パネルを収容する筐体と、を備えた表示装置において、
前記表示パネルは、両面テープを介して前記筐体に固定され、
前記フレキシブル回路基板は、前記表示パネルの背面側に曲げられて固定され、
前記フレキシブル回路基板における、前記表示パネルとの接続位置から導出した領域と
前記曲げられた領域との間の領域に、当該フレキシブル回路基板の曲げの外側の面と対向
して配置され、当該フレキシブル回路基板の曲げ形状を保持する形状保持部材を備えるこ
とを特徴とする表示装置。
【請求項２】
前記表示装置は、光源と、前記表示パネルの背面側に配置され前記光源から出射された
光を前記表示パネルに導く導光板と、を有し、
前記光源は、前記フレキシブル回路基板に実装されるとともに、当該フレキシブル基板
が曲げられて前記光源が前記導光板に対向配置されることを特徴とする請求項１に記載の
表示装置。
【請求項３】
前記両面テープは前記表示パネルの表示領域の外側の領域に形成され、前記光源から出
射され前記導光板を伝搬した光を前記表示パネル側に通過させる開口部を有することを特
徴とする請求項２に記載の表示装置。
【請求項４】
前記形状保持部材が前記筐体の一部からなることを特徴とする請求項１〜３のいずれか
一項に記載の表示装置。
【請求項５】
前記形状保持部材が前記筐体の前記フレキシブル回路基板の幅方向に沿って形成される
ことを特徴とする請求項１〜４のいずれか一項に記載の表示装置。
【請求項６】
前記形状保持部材が、一方の端部を中心として開放する解放機構を備えることを特徴と
する請求項１〜５のいずれか一項に記載の表示装置。
【請求項７】
前記形状保持部材の前記フレキシブル回路基板と対向する面にテーパ部を有することを
特徴とする請求項１〜６のいずれか一項に記載の表示装置。
【請求項８】
前記形状保持部材を第１の形状保持部材とした場合に、前記フレキシブル回路基板にお
ける、前記曲げられた領域と前記光源の実装領域との間、かつ、当該フレキシブル回路基
板の曲げの外側の面と対向する位置に、第２の形状保持部材を備えることを特徴とする請
求項２〜７のいずれか一項に記載の表示装置。
【請求項９】
前記フレキシブル回路基板における前記曲げられる領域の幅を、前記光源の実装領域部
分の幅よりも小さくすることを特徴とする請求項１〜８に記載の表示装置。
【請求項１０】
請求項１〜９のいずれか一項に記載された表示装置を備えた電子機器。
【発明の詳細な説明】
【技術分野】
【０００１】
本発明は、表示装置及び電子機器に関し、特に、フレキシブル回路基板が表示パネルの
背面側に曲げられて固定された表示装置、及びそのような表示装置を備えた電子機器に関
する。
【背景技術】
【０００２】
従来、表示装置の一態様として、それぞれの画素ごとに一対の電極を配置するとともに
、この一対の電極間に印加する電圧を選択的にオン、オフさせることによってそれぞれの
画素の液晶材料を通過する光を変調させ、表示領域全体として絵や文字等の画像を表示さ
せる液晶装置がある。
このような液晶装置において、透過表示を行う際に利用される照明装置として、液晶装
置の薄型化、小型化を図る等の目的から、可撓性のフレキシブル回路基板上に発光ダイオ
ード（ＬＥＤ）等の光源を実装するとともに、光源を液晶パネル背面側の導光板の端部に
配置して、光源から出射される光を、導光板を介して液晶パネルに導くように構成された
照明装置が用いられている。
【０００３】
このような照明装置を備えた液晶装置として、簡単な手段で導光板の光入射面に対する
ＬＥＤの光軸合わせを可能とした表示装置が開示されている。より具体的には、図１６に
示すように、表示パネルＰと、導光板４２０及びＬＥＤ４２１を有するバックライトＢＬ
と、表示パネルＰとバックライトＢＬとが収納されるパネルホルダとを含み、ＬＥＤ４２
１が表示パネルＰに接続されるフレキシブル回路基板ＦＰに実装され、フレキシブル回路
基板ＦＰを曲げて装置裏面側に配置するに伴ってＬＥＤ４２１が導光板４２０の光入射面
側４２０ａに配置される表示装置において、装置裏面側に配置されてフレキシブル回路基
板ＦＰを押さえ付ける押さえ板４３０を備え、押さえ板４３０にフレキシブル回路基板Ｆ
Ｐの一部分に当接して光源４２１の光軸を光入射面４２０ａのほぼ中心位置に合わせる突
起４３２を設けた表示装置が開示されている（特許文献１参照）。
【特許文献１】特開２００５−３２６４５４号  （図３）
【発明の開示】
【発明が解決しようとする課題】
【０００４】
しかしながら、特許文献１に記載された液晶装置は、液晶パネルに対して接続したフレ
キシブル回路基板を折り返すことにより、ＬＥＤを導光板の光入射面に配置し固定する構
成であるため、フレキシブル回路基板に生じた曲げ反力によって液晶パネルが浮いてしま
うおそれがあった。液晶パネルが浮いてしまうこと自体が問題ではあるが、特に、液晶パ
ネルの浮きによる影響がフレキシブル回路基板にまで及び、フレキシブル回路基板に実装
された光源（ＬＥＤ）の位置がずれることにより、導光板に対する光源の光軸がずれて表
示画面に光源が映りこむスポット現象が見られたり、光漏れによって輝度の低下や輝度ム
ラが生じたりするという問題があった。
このような液晶パネルの浮きを防ぐために、フレキシブル回路基板と導光板とを、比較
的粘着力の強い粘着テープを用いて固定することが考えられる。しかしながら、長時間の
使用による高温、高湿環境下では、粘着力を維持することができず、やはり、フレキシブ
ル回路基板の曲げ反力によって液晶パネルが浮いてしまうおそれがあった。また、そのよ
うな粘着力の強い粘着テープを用いた場合には、製造段階において製品をリペアする際の
障害になってしまうという問題があった。
【０００５】
そこで、本発明の発明者らは鋭意努力し、光源が実装されたフレキシブル回路基板の所
定箇所に、フレキシブル回路基板の曲げ形状を保持する形状保持部材を備えることにより
、このような問題を解決できることを見出し本発明を完成させたものである。
すなわち、本発明は、フレキシブル回路基板の曲げ反力によって表示パネルが浮くこと
を防止することができる表示装置を提供することを目的とする。また、本発明の別の目的
は、そのような表示装置を備えた電子機器を提供することである。
【課題を解決するための手段】
【０００６】
本発明によれば、表示パネルと、当該表示パネルに対して電気的に接続されたフレキシ
ブル回路基板と、表示パネルを収容する筐体と、を備えた表示装置であって、表示パネル
は、両面テープを介して筐体に固定され、フレキシブル回路基板は、表示パネルの背面側
に曲げられて固定され、フレキシブル回路基板における、表示パネルとの接続位置から導
出した領域と曲げられた領域との間の領域に、当該フレキシブル回路基板の曲げの外側の
面と対向して配置され、当該フレキシブル回路基板の曲げ形状を保持する形状保持部材を
備えた表示装置が提供され、上述した問題を解決することができる。
すなわち、曲げられたフレキシブル回路基板の所定箇所を形状保持部材によって押さえ
ることにより、フレキシブル回路基板の曲げ反力を規制することができる。したがって、
フレキシブル回路基板の曲げ形状を保持して、表示パネルが浮くことを防止することがで
きる。
【０００７】
また、本発明の表示装置を構成するにあたり、表示装置は、光源と、表示パネルの背面
側に配置され光源から出射された光を表示パネルに導く導光板と、を有し、光源は、フレ
キシブル回路基板に実装されるとともに、当該フレキシブル基板が曲げられて光源が導光
板に対向配置されることが好ましい。
このように構成することにより、表示パネルの浮きに起因して、光源が表示画面に映り
こんでしまったり、輝度の低下や輝度ムラが生じたりすることを防止することができる。
したがって、表示品位に優れた表示装置を提供することができる。
【０００８】
また、本発明の表示装置を構成するにあたり、両面テープは表示パネルの表示領域の外
側の領域に形成され、光源から出射され導光板を伝搬した光を表示パネル側に通過させる
開口部を有することが好ましい。
このように構成することにより、表示領域の面積を小さくすることなく、表示パネルと
筐体とを両面テープを用いて固定することができる。
【０００９】
また、本発明の表示装置を構成するにあたり、形状保持部材が筐体の一部からなること
が好ましい。
このように構成することにより、部品点数を増加させる必要がなく、また、形状保持部
材自体の位置決めを精度よく行うことができる。
【００１０】
また、本発明の表示装置を構成するにあたり、形状保持部材が筐体のフレキシブル回路
基板の幅方向に沿って形成されることが好ましい。
このように構成することにより、比較的大きい面積でフレキシブル回路基板を押さえて
、フレキシブル回路基板の曲げ形状をより効果的に保持することができる。
【００１１】
また、本発明の表示装置を構成するにあたり、形状保持部材が、一方の端部を中心とし
て開放する解放機構を備えることが好ましい。
このように構成することにより、表示装置を組立てる際にフレキシブル回路基板が接続
された表示パネルを筐体に容易に組み込むことができるとともに、フレキシブル回路基板
の所定箇所に対して形状保持部材を容易に配置することができる。
【００１２】
また、本発明の表示装置を構成するにあたり、形状保持部材のフレキシブル回路基板と
対向する面にテーパ部を有することが好ましい。
このように構成することにより、表示装置を組立てる際に、フレキシブル回路基板が接
続された表示パネルを筐体に容易に配置することができる。
【００１３】
また、本発明の表示装置を構成するにあたり、形状保持部材を第１の形状保持部材とし
た場合に、フレキシブル回路基板における、曲げられた領域と光源の実装領域との間、か
つ、当該フレキシブル回路基板の曲げの外側の面と対向する位置に、第２の形状保持部材
を備えることが好ましい。
このように構成することにより、光源が実装されたフレキシブル回路基板が導光板から
浮いて、光源の位置ずれが生じ、輝度の低下や輝度ムラが生じることを防止することがで
きる。
【００１４】
また、本発明の表示装置を構成するにあたり、フレキシブル回路基板における曲げられ
る領域の幅を、光源の実装領域部分の幅よりも小さくすることが好ましい。
このように構成することにより、フレキシブル回路基板の曲げ反力を小さく抑えて、表
示パネルが浮くことをさらに効果的に防止することができる。
【００１５】
また、本発明の別の態様は、上述したいずれかの表示装置を備えた電子機器である。
すなわち、表示パネルが浮くことを防止した表示装置を備えているために、特に、表示
画面内における光源の映りこみや、輝度の低下等をなくして、表示品位に優れた電子機器
を提供することができる。
【発明を実施するための最良の形態】
【００１６】
以下、適宜図面を参照して、本発明の表示装置及び電子機器に関する実施形態について
具体的に説明する。ただし、かかる実施形態は、本発明の一態様を示すものであり、この
発明を限定するものではなく、本発明の範囲内で任意に変更することが可能である。
なお、それぞれの図中、同一の符号を付してあるものについては同一の部材を示してお
り、適宜説明を省略する。また、図によっては、一部の部材が適宜省略されている場合が
ある。
【００１７】
［第１実施形態］
本発明の第１実施形態は、表示パネルと、当該表示パネルに対して電気的に接続された
フレキシブル回路基板と、表示パネルを収容する筐体と、を備えた表示装置である。
本実施形態の表示装置において、表示パネルは、両面テープを介して筐体に固定され、
フレキシブル回路基板は、表示パネルの背面側に曲げられて固定され、フレキシブル回路
基板における、表示パネルとの接続位置から導出した領域と曲げられた領域との間の領域
に、当該フレキシブル回路基板の曲げの外側の面と対向して配置され、当該フレキシブル
回路基板の曲げ形状を保持する形状保持部材を備えることを特徴とする。
【００１８】
以下、本実施形態の表示装置として、ＴＦＴ素子（Thin Film Transistor）を備えたア
クティブマトリクス型の液晶装置を例に採って説明する。ただし、本発明は、ＴＦＴ素子
を備えた液晶装置だけでなく、ＴＦＤ素子（Thin Film Diode）を備えたアクティブマト
リクス型の液晶装置や、スイッチング素子を備えていないパッシブマトリクス型の液晶装
置をはじめとして、種々の表示装置に適用することができる。
なお、表示パネルとは液晶パネルを含む概念であり、以下の説明中、液晶パネルとは、
シール材で貼り合わせられた一対の基板の間に液晶材料が注入された状態を指し、当該液
晶パネルに、フレキシブル回路基板や電子部品、光源等が取り付けられた状態を液晶装置
というものとする。
【００１９】
１．液晶装置
（１）基本的構成
まず、図１（ａ）〜（ｂ）を参照して、本実施形態に係る液晶装置の基本的構成につい
て説明する。ここで、図１（ａ）は、本実施形態の液晶装置１０の斜視図であり、図１（
ｂ）は、図１（ａ）中のＸＸ断面を矢印方向に見た断面図を示している。
この図１に示すように、本実施形態の液晶装置１０は、対向基板３０と素子基板６０と
をシール材（図示せず）によって貼り合わせるとともに、セル領域内に液晶材料（図示せ
ず）が封入された液晶パネル２０を備えている。また、液晶パネル２０における素子基板
６０は、対向基板３０の外形よりも外側に張り出してなる基板張出部６０Ｔを有しており
、この基板張出部６０Ｔにおける、液晶材料を保持する面側には、外部接続用端子（図示
せず）が形成されているとともに、当該外部接続用端子に対して、半導体素子９１とフレ
キシブル回路基板１７とが接続されている。
また、フレキシブル回路基板１７には光源１３が実装され、この光源１３と、当該光源
１３から出射された光を液晶パネル２０に導く導光板１５とからなる照明装置１１が、液
晶パネル２０の背面側に備えられている。
【００２０】
また、図２に示すように、液晶パネル２０と導光板１５は、ともに枠状の筐体１４に収
容されており、液晶パネル２０は、両面テープ６を用いて筐体１４の一部に貼付され固定
されている。この図２に示す両面テープ６は、光源から出射され導光板を伝搬した光を表
示パネル側に通過させる開口部６ａを有し、表示領域の外側の領域において、液晶パネル
２０と筐体１４とを固定しているが、表示領域を狭くすることがないように配置される態
様であれば、その形状は特に制限されるものではない。かかる両面テープ６としては、遮
光層を備えた両面テープを用いることが好ましい。この理由は、光源から出射された光の
光漏れを少なくできるため、液晶パネルに入射する光量を増やして、輝度の低下や輝度ム
ラを防止することができるためである。
また、照明装置１１を構成する導光板１５については、導光板１５の縁に設けられた凸
部７が筐体１４に設けられた凹部（図示せず）に係止され固定されている。
【００２１】
（２）液晶パネル
次に、本実施形態の液晶装置を構成する液晶パネルの部分拡大断面図を図３に示す。こ
の図３に示すように、対向基板３０は、ガラスやプラスチック等によって形成され、当該
対向基板３０上には、カラーフィルタすなわち着色層３７ｒ、３７ｇ、３７ｂと、その着
色層３７ｒ、３７ｇ、３７ｂの上に形成された対向電極３３と、その対向電極３３の上に
形成された配向膜４５とを備えている。また、反射領域Ｒにおける、着色層３７ｒ、３７
ｇ、３７ｂと対向電極３３との間には、リタデーションを最適化するための絶縁層４１を
備えている。
ここで、対向電極３３は、ＩＴＯ（インジウムスズ酸化物）等によって対向基板３０の
表面全域に形成された面状電極である。また、着色層３７ｒ、３７ｇ、３７ｂは、素子基
板６０側の画素電極６３に対向する位置にＲ（赤）、Ｇ（緑）、Ｂ（青）又はＣ（シアン
）、Ｍ（マゼンタ）、Ｙ（イエロー）等といった各色のいずれかの色フィルタエレメント
を備えている。そして、着色層３７ｒ、３７ｇ、３７ｂの隣であって、画素電極６３に対
向しない位置にブラックマスク又はブラックマトリクスすなわち遮光膜３９が設けられて
いる。
【００２２】
また、対向基板３０に対向する素子基板６０は、ガラスやプラスチック等によって形成
され、当該素子基板６０上には、スイッチング素子として機能するアクティブ素子として
のＴＦＴ素子６９と、透明な絶縁膜８１を挟んでＴＦＴ素子６９の上層に形成された画素
電極６３とを備えている。
ここで、画素電極６３は、反射領域Ｒにおいては反射表示を行うための光反射膜７９（
６３ａ）を兼ねて形成されるとともに、透過領域Ｔにおいては、ＩＴＯなどにより透明電
極６３ｂとして形成される。また、画素電極６３ａとしての光反射膜７９は、例えばＡｌ
（アルミニウム）、Ａｇ（銀）等といった光反射性材料によって形成される。そして、画
素電極６３の上には、ポリイミド系の高分子樹脂からなる配向膜８５が形成されるととも
に、この配向膜８５に対して、配向処理としてのラビング処理が施される。
【００２３】
また、対向基板３０の外側（すなわち、図３の上側）表面には、位相差板４７が形成さ
れ、さらにその上に偏光板４９が形成されている。同様に、素子基板６０の外側（すなわ
ち、図３の下側）表面には、位相差板８７が形成され、さらにその下に偏光板８９が形成
されている。さらに、素子基板６０の下方にはバックライトユニット（図示せず）が配置
される。
【００２４】
また、ＴＦＴ素子６９は、素子基板６０上に形成されたゲート電極７１と、このゲート
電極７１の上で素子基板６０の全域に形成されたゲート絶縁膜７２と、このゲート絶縁膜
７２を挟んでゲート電極７１の上方位置に形成された半導体層７０と、その半導体層７０
の一方の側にコンタクト電極７７を介して形成されたソース電極７３と、さらに半導体層
７０の他方の側にコンタクト電極７７を介して形成されたドレイン電極６６とを有する。
また、ゲート電極７１はゲートバス配線（図示せず）から延びており、ソース電極７３
はソースバス配線（図示せず）から延びている。また、ゲートバス配線は素子基板６０の
横方向に延びていて縦方向へ等間隔で平行に複数本形成されるとともに、ソースバス配線
はゲート絶縁膜７２を挟んでゲートバス配線と交差するように縦方向へ延びていて横方向
へ等間隔で平行に複数本形成される。
かかるゲートバス配線は液晶駆動用ＩＣ（図示せず）に接続されて、例えば走査線とし
て作用し、他方、ソースバス配線は他の駆動用ＩＣ（図示せず）に接続されて、例えば信
号線として作用する。
また、画素電極６３は、互いに交差するゲートバス配線とソースバス配線とによって区
画される方形領域のうちＴＦＴ素子６９に対応する部分を除いた領域に形成されている。
【００２５】
ここで、ゲートバス配線及びゲート電極は、例えばクロム、タンタル等によって形成す
ることができる。また、ゲート絶縁膜は、例えば窒化シリコン（ＳｉＮX）、酸化シリコ
ン（ＳｉＯX）等によって形成される。また、半導体層は、例えばドープトａ−Ｓｉ、多
結晶シリコン、ＣｄＳｅ等によって形成することができる。さらに、コンタクト電極は、
例えばａ−Ｓｉ等によって形成することができ、ソース電極及びそれと一体をなすソース
バス配線並びにドレイン電極は、例えばチタン、モリブデン、アルミニウム等によって形
成することができる。
【００２６】
また、有機絶縁膜８１は、ゲートバス配線、ソースバス配線及びＴＦＴ素子を覆って素
子基板６０上の全域に形成されている。但し、有機絶縁膜８１のドレイン電極６６に対応
する部分にはコンタクトホール８３が形成され、このコンタクトホール８３の所で画素電
極６３とＴＦＴ素子６９のドレイン電極６６との導通がなされている。
また、かかる有機絶縁膜８１には、反射領域Ｒに対応する領域に、散乱形状として、山
部と谷部との規則的な又は不規則的な繰り返しパターンから成る凹凸パターンを有する樹
脂膜が形成されている。この結果、有機絶縁膜８１の上に積層される光反射膜７９（６３
ａ）も同様にして凹凸パターンから成る光反射パターンを有することになる。但し、この
凹凸パターンは、透過領域Ｔには形成されていない。
【００２７】
以上のような構造を有する液晶パネル２０を備えた液晶装置において、反射表示の際に
は、太陽光や室内照明光などの外光が、対向基板３０側から液晶パネル２０に入射すると
ともに、着色層３７ｒ、３７ｇ、３７ｂや液晶材料２１などを通過して光反射膜７９に至
り、そこで反射されて再度液晶材料２１や着色層３７ｒ、３７ｇ、３７ｂなどを通過して
、液晶パネル２０から外部へ出ることにより、反射表示が行われる。
一方、透過表示の際には照明装置が点灯されるとともに、照明装置から出射された光が
液晶パネル２０に入射するとともに、透光性の透明電極６３ｂ部分を通過し、着色層３７
ｒ、３７ｇ、３７ｂ、液晶材料２１などを通過して液晶パネル２０の外部へ出ることによ
り、透過表示が行われる。
【００２８】
（３）照明装置
本実施形態の液晶装置に備えられた照明装置は、図１に示すように、液晶パネル２０に
対して電気的に接続されたフレキシブル回路基板１７に実装された光源１３と、液晶パネ
ル２０の背面側に配置され、光源１３から出射された光を液晶パネル２０に導く導光板１
５とを備えている。
ここで、照明装置１１に使用される光源１３としては、発光ダイオード（ＬＥＤ）が一
般的であるが、それ以外にも蛍光管を用いることもできる。また、導光板１５は、透光性
のアクリル樹脂等からなる平板状の部材であり、液晶パネルと面する面の背面側には、光
反射板又は光反射膜（図示せず）を備えている。これらの光源１３や導光板１５について
は、公知のものを用いることができる。
【００２９】
また、光源１３が実装されたフレキシブル回路基板１７は、ポリイミド樹脂等の可撓性
の基板を基体とした回路基板であって、一方側の端部付近に光源１３が実装されるととも
に、他方側の端部にパネル接続用端子１６を備え、これらの光源１３及び端子１６は電気
配線を介して電気的に接続されている。さらに、図示しないものの、フレキシブル回路基
板１７の表面は、光源１３の実装領域やパネル接続端子部分等を除いて、絶縁膜により被
覆されて構成されている。
【００３０】
このように構成されたフレキシブル回路基板１７は、一端側が液晶パネル２０に対して
電気的に接続されているとともに、液晶パネル２０の背面側の導光板１５側に曲げられ、
光源１３が導光板１５の端部に対向配置されるように固定されている。
例えば、図１に示すように、導光板１５よりも下方側（液晶パネル２０側とは反対側）
にフレキシブル回路基板１７を固定する場合には、フレキシブル回路基板１７を曲げて、
筐体の位置決めピンとフレキシブル回路基板の位置決め孔（ともに図示せず）を用いて所
定箇所に位置決めした状態で、さらに金枠等で押さえることにより、光源１３を所定箇所
に固定することができる。
また、図４に示すように、導光板１５よりも上方側（液晶パネル２０側）にフレキシブ
ル回路基板１７を固定する場合には、フレキシブル回路基板１７を曲げて所定箇所に位置
決めするとともに、導光板１５や筐体１４の一部に対して両面テープ９を用いて貼付する
ことにより、光源１３を所定箇所に固定することができる。この場合、液晶パネル２０の
表面には偏光板８９（図１では図示せず）が貼付されているため、液晶パネル２０と導光
板１５との間に隙間ができることはない。
【００３１】
また、フレキシブル回路基板は、図５（ａ）〜（ｂ）に示すように、曲げられた領域１
７Ａの幅Ｗ１を、光源１３の実装領域部分１７Ｃの幅Ｗ２よりも小さくすることが好まし
い。
この理由は、光源１３の実装領域部分１７Ｃにおいては、できる限り広い範囲を利用し
て位置決め固定することができる一方、曲げられた領域１７Ａの幅Ｗ１が小さいために、
フレキシブル回路基板１７の曲げ反力を小さく抑えることができるためである。
したがって、フレキシブル回路基板の曲げ反力によって液晶パネルが浮くことをより効
果的に防止することができる。
【００３２】
また、図６に示すように、フレキシブル回路基板１７における光源１３の実装面の背面
側に遮光部材２２を配置することが好ましい。
この理由は、光源実装領域における光源の実装面の背面側からの光漏れを防止し、液晶
パネルに入射する光量の低下を防いで、表示される画像の輝度の低下を防止することがで
きるためである。
かかる遮光部材としては、例えば、アルミニウムや銀等の金属板、あるいは、着色され
たガラスエポキシやアクリル樹脂等、光反射性の遮光部材とすることができる。このよう
な遮光部材であれば、光源の背面側に進入してきた光を効率的に反射して、導光板へと進
入させることができる。ただし、ショート等を防ぐ目的から、電気絶縁性の材料を用いる
ことが好ましい。
【００３３】
（４）形状保持部材（第１の形状保持部材）
本実施形態の液晶装置は、図１や図４に示すように、フレキシブル回路基板１７におけ
る、液晶パネル２０との接続位置から導出した領域１７Ｂと曲げられた領域１７Ａとの間
の領域に、当該フレキシブル回路基板１７の曲げの外側の面と対向して、当該フレキシブ
ル回路基板１７の曲げ形状を保持する形状保持部材（第１の形状保持部材と称する場合が
ある。）１を備えていることを特徴としている。すなわち、フレキシブル回路基板１７が
曲げられることによって生じる曲げ反力を、形状保持部材１によって規制して、液晶パネ
ル２０が浮いてしまうことを防止するためである。これによって、導光板１５に対する光
源１３の光軸がずれて、光源１３が表示画面に映りこんでしまったり、液晶パネル２０と
導光板１５との間から光が漏れて、表示画面の輝度の低下や輝度ムラが生じたりすること
を防止することができる。
【００３４】
より具体的には、液晶パネルが筐体に対して両面テープを用いて固定されている場合で
あっても、当該両面テープの粘着力が弱かったり、高温、高湿状態によって粘着力が低下
したりした場合には、フレキシブル回路基板の曲げ反力によって液晶パネルが浮いてしま
うおそれがある。そうすると、図７に示すように、表示画面を覗いた場合に、光源２１３
が表示領域Ａ内に映りこんでしまったり、あるいは、液晶パネル２２０が浮いた領域Ｂか
ら光漏れを生じ、液晶パネル２２０と導光板２１５との間が近接している領域Ｃと比較し
て輝度が低下してしまい、表示領域Ａ内において輝度ムラが生じたりする。
これに対し、本発明においては、フレキシブル回路基板における、液晶パネルとの接続
位置から導出した領域と曲げられた領域との間であって、フレキシブル回路基板の曲げの
外側の面と対向して形状保持部材を備えることにより、図８に示すように、フレキシブル
回路基板１７の曲げ反力を規制することにより液晶パネル２０の浮きを防止して、上述の
ような光源１３の映りこみや、輝度ムラ等の発生を防止している。
【００３５】
ここで、図１に示す液晶装置１０における形状保持部材１は、筐体１４の一部を用いて
構成されている。このように、形状保持部材１が筐体１４の一部からなる構成であれば、
従来と比較して部品点数が増大することを防ぐことができるとともに、形状保持部材１の
位置が一義的に決定されるため、形状保持部材１を精度よく配置することができる。
より具体的には、図１に示す液晶装置１０は、フレキシブル回路基板１７が筐体１４に
設けられた開口部１４ａに挿入され、当該開口部１４ａの縁部が形状保持部材１として構
成されている。そして、この開口部１４ａの縁部からなる形状保持部材１によってフレキ
シブル回路基板１７の曲げ反力が規制されることにより、フレキシブル回路基板１７の曲
げ形状が保持されている。かかる開口部１４ａの縁部を利用した形状保持部材１であれば
、フレキシブル回路基板１７の幅方向に沿って形成され、幅全体を利用して比較的大きい
面積でフレキシブル回路基板１７を押さえることができる。したがって、フレキシブル回
路基板１７の曲げ形状をより効果的に保持することができる。
【００３６】
また、図９に示すように、フレキシブル回路基板１７と対向する面にテーパ部２ａを備
えた形状保持部材２とすることもできる。かかるテーパ部２ａを備えた形状保持部材２で
あれば、液晶装置を組立てる際に、フレキシブル回路基板１７をスムーズに組み込むこと
ができ、組立て効率を向上させることができる。
さらに、図１０（ａ）〜（ｂ）に示すように、形状保持部材１が、一方の端部を中心と
して開放する解放機構１６を有する構成とすることもできる。かかる解放機構１６を備え
た構成であれば、液晶装置を組立てる際には、フレキシブル回路基板１７の配置の邪魔に
ならないように移動させておき、フレキシブル回路基板の配置後においては、所定位置に
配置して、フレキシブル回路基板の曲げ形状を保持することができる。
【００３７】
これら以外にも、図１１（ａ）〜（ｂ）に示すように形状保持部材を構成することがで
きる。すなわち、図１１（ａ）は、フレキシブル回路基板１７の幅方向端部に位置する筐
体１４の枠部分に突起部を設けて形状保持部材３とした例であり、図１１（ｂ）は、フレ
キシブル回路基板１７の幅方向に対して垂直に交差する方向に位置する筐体１４枠部分に
突起部を設けて形状保持部材４とした例である。
【００３８】
さらに、筐体の一部を用いて形状保持部材を構成する以外に、図１２（ａ）〜（ｂ）に
示すように、別部材を用いて形状保持部材５を構成することもできる。別部材を用いて形
状保持部材を構成した場合には、液晶装置を組立てる際に、フレキシブル回路基板の配置
をスムーズに行うことができるとともに、形状保持部材の配置位置の自由度を高めること
ができる。
【００３９】
これらの形状保持部材を備えるにあたり、形状保持部材が、筐体に収容された液晶パネ
ルの上面よりも突出しないように構成することが好ましい。
この理由は、液晶パネルの浮きを防止するとともに、形状保持部材によって液晶装置の
厚さが厚くなってしまうことを防止して、液晶装置の薄型化を図ることができるためであ
る。
【００４０】
（５）第２の形状保持部材
また、図１３（ａ）〜（ｃ）に示すように、フレキシブル回路基板１７における、曲げ
られた領域１７Ａと光源１３の実装領域部分１７Ｃとの間、かつ、当該フレキシブル回路
基板１７の曲げの外側の面と対向する位置に、第２の形状保持部材１８を備えることが好
ましい。
この理由は、上述の第１の形状保持部材の反対側からもフレキシブル回路基板の曲げ反
力を規制することにより、導光板が液晶パネルから浮いてしまうことを防止することがで
きるためである。したがって、導光板１５に対する光源１３の光軸がずれて、表示画面内
に光源１３が映りこんだり、液晶パネル２０と導光板１５との間から光が漏れて、輝度の
低下や輝度ムラを生じたりすることを、より効果的に防止することができる。
【００４１】
かかる第２の形状保持部材としては、例えば、図１３（ａ）〜（ｂ）に示すように、上
述した第１の形状保持部材と同様、筐体１４の一部を利用したり、別部材を用いたりして
構成することができる。別部材を用いて構成する場合には、図１３（ｃ）に示すように、
液晶パネル２０や導光板１５等が収容された筐体１４をさらに保持する金枠の一部を利用
して第２の形状保持部材１８を構成することもできる。
さらに、第１の形状保持部材と同様、第２の形状保持部材についても、一方の端部を中
心として開放する解放機構を備えた構成とすることもできる。
【００４２】
なお、第２の形状保持部材を備える場合には、筐体とは別の金型等を用いることなく、
第２の形状保持部材が筐体の下面よりも突出しないように構成することが好ましい。
この理由は、液晶パネルの浮きを防止するとともに、形状保持部材によって液晶装置の
厚さが厚くなってしまうことを防止して、液晶装置の薄型化を図ることができるためであ
る。
【００４３】
２．製造方法
以下、本実施形態の液晶装置の製造方法の一例を説明する。
まず、対向配置された素子基板と対向基板としてのカラーフィルタ基板とを含む液晶パ
ネルを製造する。
かかる液晶パネルを構成する素子基板は、素子基板の基体としてのガラス基板等の上に
各種の部材を積層することにより、ＴＦＴ素子や所定パターンの走査線、所定パターンの
データ線、外部接続端子等を適宜形成する。次いで、スパッタリング処理等によりＩＴＯ
等の透明導電膜を積層した後、フォトリソグラフィ及びエッチング法により、表示領域に
画素電極をマトリクス状に形成する。さらに、画素電極が形成された基板表面に、ポリイ
ミドからなる配向膜を形成する。このようにして、種々の樹脂膜や導電膜が形成された素
子基板を製造する。
【００４４】
次いで、対向基板としてのカラーフィルタ基板を構成する基体としてのガラス基板等の
上に各種の部材を積層することにより、着色層や遮光膜を適宜形成する。次いで、スパッ
タリング処理等によりＩＴＯ等の透明導電膜を積層した後、フォトリソグラフィ及びエッ
チング法により、表示領域全面に渡る対向電極を形成する。さらに、対向電極が形成され
た基板表面に、ポリイミドからなる配向膜を形成する。このようにして、種々の樹脂膜や
導電膜が形成されたカラーフィルタ基板を製造する。
【００４５】
次いで、カラーフィルタ基板と素子基板とをシール材を介して貼り合わせてセル構造を
形成するとともに、セル構造の内部に液晶材料（図示せず）を配置することにより、図１
４（ａ）に示すような液晶セル２０´を形成する。液晶材料の配置方法としては、セル構
造を形成した後に行う真空注入法や、あらかじめ液晶材料を滴下した後基板を貼り合わせ
る方法などがある。
その後、カラーフィルタ基板３０及び素子基板６０の外面にそれぞれ偏光板（図示せず
）等を貼付したり、光源１３が実装されたフレキシブル回路基板１７を電気的に接続した
りすることにより、図１４（ｂ）に示すように、液晶パネル２０を製造することができる
。
【００４６】
次いで、図１４（ｃ）に示すように、液晶パネル２０及び導光板１５をともに筐体１４
に組み込むとともに、液晶パネル２０に接続されたフレキシブル回路基板１７を曲げ、フ
レキシブル回路基板１７に実装された光源１３が、導光板１５の端部に対向配置されるよ
うにしてフレキシブル回路基板１７を位置決め固定する。これによって、フレキシブル回
路基板１７における、液晶パネル２０との接続位置から導出した領域と曲げられた領域と
の間の領域に、フレキシブル回路基板１７の曲げの外側の面と対向して、フレキシブル回
路基板１７の曲げ形状を保持する形状保持部材１が配置される。このようにして、本実施
形態の液晶装置１０を製造することができる。
【００４７】
［第２実施形態］
本発明の第２実施形態は、第１実施形態の液晶装置を備えた電子機器である。
図１５は、本実施形態の電子機器の全体構成を示す概略構成図である。この電子機器は
、液晶装置に備えられた液晶パネル２０と、これを制御するための制御手段２００とを有
している。また、図１５中では、液晶パネル２０を、パネル構造体２０Ａと、半導体素子
（ＩＣ）等で構成される駆動回路２０Ｂと、に概念的に分けて描いてある。また、制御手
段２００は、表示情報出力源２０１と、表示処理回路２０２と、電源回路２０３と、タイ
ミングジェネレータ２０４とを備えている。
また、表示情報出力源２０１は、ＲＯＭ（Read Only Memory）やＲＡＭ（Random Acces
s Memory）等からなるメモリと、磁気記録ディスクや光記録ディスク等からなるストレー
ジユニットと、デジタル画像信号を同調出力する同調回路とを備え、タイミングジェネレ
ータ２０４によって生成された各種のクロック信号に基づいて、所定フォーマットの画像
信号等の形で表示情報を表示処理回路２０２に供給するように構成されている。
【００４８】
また、表示処理回路２０２は、シリアル−パラレル変換回路、増幅・反転回路、ローテ
ーション回路、ガンマ補正回路、クランプ回路等の周知の各種回路を備え、入力した表示
情報の処理を実行して、その画像情報をクロック信号ＣＬＫと共に駆動回路２０Ｂへ供給
する。さらに、駆動回路２０Ｂは、第１の電極駆動回路、第２の電極駆動回路及び検査回
路を含めることができる。また、電源回路２０３は、上述の各構成要素にそれぞれ所定の
電圧を供給する機能を有している。
そして、本実施形態の電子機器であれば、フレキシブル回路基板の曲げ形状を保持する
形状保持部材を備えているために、液晶パネルが浮くことを防止して、特に、表示画面内
に光源が映りこんだり、輝度の低下や輝度ムラが発生したりすることを防止した電子機器
とすることができる。
【産業上の利用可能性】
【００４９】
本発明によれば、フレキシブル回路基板の曲げ形状を保持する形状保持部材を備えてい
るために、液晶パネルが浮くことを防止して、表示品位の向上を図った液晶装置を提供す
ることができる。したがって、ＴＦＴ素子、ＴＦＤ素子を備えた液晶装置や電子機器、例
えば、携帯電話機やパーソナルコンピュータ等をはじめとして、液晶テレビ、ビューファ
インダ型・モニタ直視型のビデオテープレコーダ、カーナビゲーション装置、ページャ、
電子手帳、電卓、ワードプロセッサ、ワークステーション、テレビ電話、ＰＯＳ端末、タ
ッチパネルを備えた電子機器などに幅広く適用することができる。
また、本発明を適用可能な表示装置は液晶装置に限られるものではなく、ＥＬ装置やプ
ラズマディスプレイ装置等、フレキシブル回路基板が接続され、曲げられて用いられる表
示装置であれば好適に使用することができる。
【図面の簡単な説明】
【００５０】
【図１】第１実施形態の液晶装置を示す斜視図及び断面図である。
【図２】第１実施形態の液晶装置の構成を説明するために供する図である。
【図３】液晶パネルの構成を示す拡大断面図である。
【図４】液晶装置の別の構成例を示す断面図である。
【図５】フレキシブル回路基板の幅について説明するために供する図である。
【図６】光源実装領域の背面に備えられた遮光部材を説明するために供する図である。
【図７】液晶パネルが導光板から浮いた状態を説明するために供する図である。
【図８】形状保持部材によってフレキシブル回路基板の曲げ応力を規制する状態を説明するために供する図である。
【図９】テーパ部を有する形状保持部材について説明するために供する図である。
【図１０】解放機構により回転移動可能な形状保持部材を示す図である。
【図１１】筐体に備えられた形状保持部材の変形例を示す図である。
【図１２】筐体と別の部材を用いて形状保持部材を構成した例を示す図である。
【図１３】第２の形状保持部材を備えた液晶装置の例を示す図である。
【図１４】第１実施形態の液晶装置の製造方法を説明するために供する図である。
【図１５】第２実施形態の電子機器の概略構成を示すブロック図である。
【図１６】従来の液晶装置の構成を示す図である。
【符号の説明】
【００５１】
１・２・３・４・５：形状保持部材、６・９：両面テープ、７：凸部、８：凹部、１０：
液晶装置、１１：照明装置、１３：光源、１４：筐体、１４ａ：筐体の開口部、１５：導
光板、１６：解放機構、１７：フレキシブル回路基板、２０：液晶パネル、２２：遮光部
材、３０：対向基板（カラーフィルタ基板）、４９：偏光板、６０：素子基板、６０Ｔ：
基板張出部
【図１】
2007256586.tif 000003
【図２】
2007256586.tif 000004
【図３】
2007256586.tif 000005
【図４】
2007256586.tif 000006
【図５】
2007256586.tif 000007
【図６】
2007256586.tif 000008
【図７】
2007256586.tif 000009
【図８】
2007256586.tif 000010
【図９】
2007256586.tif 000011
【図１０】
2007256586.tif 000012
【図１１】
2007256586.tif 000013
【図１２】
2007256586.tif 000014
【図１３】
2007256586.tif 000015
【図１４】
2007256586.tif 000016
【図１５】
2007256586.tif 000017
【図１６】
2007256586.tif 000018